(57)【要約】【課題】上下方向の視野範囲特性が観察者間で異なる場合に対応できる表示装置を提供する。【解決手段】第１の画像を表示する第１の画素Ｒと第２の画像を表示する第２の画素Ｌと、が左右方向に交互に隣り合うように配置された表示面７と、平面視において第１の画素Ｒ及び第２の画素Ｌとの間に位置する開口部２５を備える遮光性の光学素子２０と、を備え、第１の画像と第２の画像とを、開口部２５を介して夫々異なる方向に同時に表示可能な表示装置であって、第１の画素Ｒの重心と開口部２５の重心を結ぶ線と、第２の画素Ｌの重心と開口部２５を結ぶ線と、の少なくとも一方が水平ではないことを特徴とする表示装置。【選択図】図１２
2009086126.tif 000002
【特許請求の範囲】
【請求項１】
第１の画像を表示する第１の画素と第２の画像を表示する第２の画素と、が左右方向に交互に隣り合うように配置された表示面と、平面視において前記第１の画素及び前記第２の画素との間に位置する開口部を備える遮光性の光学素子と、を備え、前記第１の画像と前記第２の画像とを、前記開口部を介して夫々異なる方向に同時に表示可能な表示装置であって、
前記第１の画素の重心と前記開口部の重心を結ぶ線と、前記第２の画素の重心と前記開口部を結ぶ線と、の少なくとも一方が水平ではないことを特徴とする表示装置。
【請求項２】
請求項１に記載の表示装置であって、前記第１の画素と前記第２の画素とは、前記表示面の上下方向にも交互に隣り合うように配置されていることを特徴とする表示装置。
【請求項３】
請求項１又は２に記載の表示装置であって、前記第１の画素の重心と前記第２の画素の重心とのうちの一方は平面視において前記開口部の重心の上方に位置し、他方は平面視において前記開口部の重心の下方に位置していることを特徴とする表示装置。
【請求項４】
請求項１〜３のいずれか一項に記載の表示装置であって、前記第１の画素の上下方向の長さと前記第２の画素の上下方向の長さとが略同一であることを特徴とする表示装置。
【請求項５】
第１の画像を表示する第１の画素と第２の画像を表示する第２の画素と、が略上下方向及び略左右方向に交互に隣り合うように配置された表示面と、平面視において前記第１の画素及び前記第２の画素との間に位置する開口部を備える遮光性の光学素子と、を備え、
前記第１の画像と前記第２の画像とを、前記開口部を介して夫々異なる方向に同時に表示可能な表示装置であって、
前記第１の画素の上下方向の長さと前記第２の画素の上下方向の長さとが互いに異なることを特徴とする表示装置。
【請求項６】
請求項５に記載の表示装置であって、前記第１の画素の重心と前記開口部の重心とを結ぶ線と、前記第２の画素の重心と前記開口部の重心とを結ぶ線と、の少なくとも一方が水平ではないことを特徴とする表示装置。
【請求項７】
請求項１〜６のいずれか一項に記載の表示装置であって、前記第１の画素及び前記第２の画素の平面形状が矩形であることを特徴とする表示装置。
【請求項８】
請求項１〜７のいずれか一項に記載の表示装置であって、前記画素は、スイッチング素子により制御される画素電極と共通電極間との間に印加した電圧により、一対の基板間に封止された液晶層の配向を制御して画像を形成する液晶層素子であることを特徴とする表示装置。
【請求項９】
請求項１〜８のいずれか一項に記載の表示装置を搭載することを特徴とする電子機器。
【発明の詳細な説明】
【技術分野】
【０００１】
本発明は表示装置、及びそれを用いた電子機器に関する。
【背景技術】
【０００２】
一般的に表示装置は、観察者が複数の場合でも、観察者全員に同一の画像を表示するものである。しかし、近年、左右方向に間隔をもって位置する複数の観察者（例えば、自動車の運転者と助手席等に位置する者）に、夫々異なる画像を指向的に表示する用途が生じつつある。かかる２画像の表示を行なう方法として、遮光部と開口部とが規則的に配置されたパララックスバリアを用いる方法が知られている。隣り合うように配置された、一方の画像を表示する第１の画素と他方の画像を表示する第２の画素との中間に上記開口部が位置するようにパララックスバリアを配置することで、左右方向に間隔をもって位置する複数の観察者（以下、「複数の観察者」を「二人の観察者」と想定して記述する。）に、上記一方の画像又は上記他方の画像のいずれかを指向的に表示できる（特許文献１参照）。
【０００３】
かかる表示装置は、一般的には水平方向に位置する観察者に画像を表示することを意図している。そのため開口部を左右対称の形状とし、互いに同一の平面形状を有する第１の画素と第２の画素とを、開口部の上下方向の中心線に対して左右対象となるように配置することが一般的である。
【０００４】
【特許文献１】特開２００７−１４０５３６号公報
【発明の開示】
【発明が解決しようとする課題】
【０００５】
しかし、観察者が表示装置を観察する上下方向の角度（以下、「視野角度」と称する。）は水平とは限らず、一方の観察者が斜め上から、又は斜め下から該表示装置を観察する場合もある。また、かかる上下方向の視野角度が変化する範囲（以下、「視野角度範囲」と称する。）、すなわち観察者の視点の、上下方向の移動範囲も観察者間で異なることもあり得る。視野角度及び視野角度範囲と観察者が視認する画像との関係を視野範囲特性とすると、要求される上下方向の視野範囲特性が、左右方向に間隔をもって位置する二人の観察者間で異なる場合もあり得るということである。そしてかかる要求に、従来の画素と開口部の配置の態様が一般的な表示装置は対応していないという問題がある。
【課題を解決するための手段】
【０００６】
本発明は、上記課題の少なくとも一部を解決するためになされたものであり、以下の形態又は適用例として実現することが可能である。
【０００７】
［適用例１］
第１の画像を表示する第１の画素と第２の画像を表示する第２の画素と、が左右方向に交互に隣り合うように配置された表示面と、平面視において前記第１の画素及び前記第２の画素との間に位置する開口部を備える遮光性の光学素子と、を備え、前記第１の画像と前記第２の画像とを、前記開口部を介して夫々異なる方向に同時に表示可能な表示装置であって、前記第１の画素の重心と前記開口部の重心を結ぶ線と、前記第２の画素の重心と前記開口部を結ぶ線と、の少なくとも一方が水平ではないことを特徴とする表示装置。
【０００８】
このような構成によれば、上下方向の視野範囲特性を第１の画像と第２の画像とで異ならせることができる。したがって、左右方向に間隔をもって位置する二人の観察者の上下方向の視野角度が互いに異なる場合でも、双方の観察者に夫々好適な画像を表示できる。
【０００９】
［適用例２］
上述の表示装置であって、前記第１の画素と前記第２の画素とは、前記表示面の上下方向にも交互に隣り合うように配置されていることを特徴とする表示装置。
【００１０】
このような構成によれば、開口部と、該開口部と上下方向に隣り合う２つの画素と、の位置関係を、第１の画素と第２の画素とで異ならせることができる。したがって、上下方向の視野角度範囲が異なる二人の観察者に同一の開口部を介して画像を表示する場合において、双方の観察者により一層好適な画像を表示できる。
【００１１】
［適用例３］
上述の表示装置であって、前記第１の画素の重心と前記第２の画素の重心とのうちの一方は平面視において前記開口部の重心の上方に位置し、他方は平面視において前記開口部の重心の下方に位置していることを特徴とする表示装置。
【００１２】
このような構成によれば、左右方向に間隔をもって位置する二人の観察者の視点のうちの一方が表示装置を見上げる位置にあり他方が見下ろす位置にある場合においても、双方の観察者に夫々好適な画像を表示できる。
【００１３】
［適用例４］
上述の表示装置であって、前記第１の画素の上下方向の長さと前記第２の画素の上下方向の長さとが略同一であることを特徴とする表示装置。
【００１４】
このような構成によれば、第１の画素と第２の画素とで、視野角度範囲は一定にして視野角度のみを異ならせることができる。したがって、表示領域を有効に利用でき、表示品質を向上できる。
【００１５】
［適用例５］
第１の画像を表示する第１の画素と第２の画像を表示する第２の画素と、が略上下方向及び略左右方向に交互に隣り合うように配置された表示面と、平面視において前記第１の画素及び前記第２の画素との間に位置する開口部を備える遮光性の光学素子と、を備え、前記第１の画像と前記第２の画像とを、前記開口部を介して夫々異なる方向に同時に表示可能な表示装置であって、前記第１の画素の上下方向の長さと前記第２の画素の上下方向の長さとが互いに異なることを特徴とする表示装置。
【００１６】
このような構成によれば、上記開口部が上下方向に隣り合う第１の画素との間隔と、上記開口部が上下方向に隣り合う第２の画素との間隔と、を互いに異ならせることができる。したがって、第２の画像を視野に入れることなく第１の画像を観察できる視野角度範囲と、第１の画像を視野に入れることなく第２の画像を観察できる視野角度範囲と、を互いに異なる値に設定でき、第１の画像の観察者と第２の画像の観察者との間で視野範囲特性に差を設けることができる。
なお、Ｙ軸方向の長さとは、画素をＹ軸上に投影したときに、該画素がＹ軸上に占める線分の長さをいう。
【００１７】
［適用例６］
上述の表示装置であって、前記第１の画素の重心と前記開口部の重心とを結ぶ線と、前記第２の画素の重心と前記開口部の重心とを結ぶ線と、の少なくとも一方が水平ではないことを特徴とする表示装置。
【００１８】
このような構成によれば、二人の観察者の上下方向の視野角度及び視野角度範囲が互いに異なる場合でも、双方の観察者に夫々好適な画像を表示できる。
【００１９】
［適用例７］
上述の表示装置であって、前記第１の画素及び前記第２の画素の平面形状が矩形であることを特徴とする表示装置。
【００２０】
このような構成によれば、上記表示領域を有効に利用でき、表示性能が向上した表示装置を得ることができる。
【００２１】
［適用例８］
上述の表示装置であって、前記画素は、スイッチング素子により制御される画素電極と共通電極間との間に印加した電圧により、一対の基板間に封止された液晶層の配向を制御して画像を形成する液晶層素子であることを特徴とする表示装置。
【００２２】
液晶層素子は制御容易なので、このような構成によれば、表示品質がより一層向上した表示装置を得ることができる。
【００２３】
［適用例９］
上述の表示装置を搭載することを特徴とする電子機器。
【００２４】
このような構成によれば、左右方向に間隔をもって位置する二人の観察者に上下方向の視野範囲特性が異なる画像を表示可能な電子機器を得ることができる。
【発明を実施するための最良の形態】
【００２５】
以下、本発明を適用した表示装置の実施形態として、素子基板上にスイッチング素子としてのＴＦＴ（薄膜トランジスタ）と画素電極とを含む画素が規則的に配列されており、上記素子基板と対向基板との間に狭持される液晶層（液晶分子）の配向を上記画素ごとに制御して画像を形成する透過型の液晶装置を例に、図面を参照しつつ述べる。
【００２６】
実施形態にかかる液晶装置は、左右方向に間隔をもって位置する二人の観察者に、夫々異なる画像を指向的に表示する液晶装置であり、画素と開口部の相対的な位置関係を工夫することにより、上下方向の視野範囲特性を上記の二人の観察者間で異ならせたものである。そこで、各実施形態について述べる前に、液晶装置の概要、及び視野範囲特性について述べる。なお、以下に示す各図においては、各構成要素を図面上で認識され得る程度の大きさとするため、各構成要素の寸法や比率を実際のものとは適宜に異ならせてある。
【００２７】
図１〜３は、本発明の実施形態にかかる液晶装置の概要を示す図である。実施形態の液晶装置は、液晶層に対して基板面方向（水平方向）の電界を印加して液晶分子の配向方向を制御する横電界方式を採用した、アクティブマトリクス型の透過型カラー液晶装置である。上記電界の印加量を画素ごとに制御して、バックライトユニット９０（図３参照）から照射される光の透過率を連続的に変化させることで、上記表示領域に画像を形成できる。各画素は、赤色のカラーフィルタ（赤色光以外の光を吸収するカラーフィルタ）、緑色のカラーフィルタ（緑色光以外の光を吸収するカラーフィルタ）、青色のカラーフィルタ（青色光以外の光を吸収するカラーフィルタ）のいずれかを備えており、各々の画素の出力を制御することでカラー表示を可能としている。
【００２８】
なお、横電界方式によれば、基板に対して常に平行な状態で液晶分子を駆動するため、広い角度範囲に画像を表示することができる。したがって、以下に記載する各実施形態にかかる、１つの開口部を介して２つの画像を異なる方向に同時に表示する液晶装置に好適である。
【００２９】
図１は、実施形態にかかる、アクティブマトリクス型の液晶装置の等価回路図である。表示領域１００には、画素電極１０４と該画素電極をスイッチング制御するためのＴＦＴ１１０とを備える画素がマトリクス状に配置されている。共通電極１０６は、走査線駆動回路１０２から延びる共通線１１６と電気的に接続されている。
【００３０】
データ線駆動回路１０１から延伸するデータ線１１４はＴＦＴ１１０のソース電極１２２（図３参照）と電気的に接続されている。そしてデータ線駆動回路１０１は、画像信号Ｓ１、Ｓ２、・・・、Ｓｎを、データ線１１４を介して各々の画素に供給する。走査線駆動回路１０２から延伸する走査線１１２の一部は、ＴＦＴ１１０のゲート電極を兼ねており、走査線駆動回路１０２から供給される走査信号Ｇ１、Ｇ２、・・・、Ｇｍを線順次でＴＦＴ１１０のゲート電極に印加する。
【００３１】
画素電極１０４は、ＴＦＴ１１０のドレイン電極１２３（図３参照）に電気的に接続されている。スイッチング素子であるＴＦＴ１１０が走査信号により一定期間オン状態にされることで、データ線１１４から供給される画像信号が所定のタイミングで画素電極１０４に書き込まれ、画素電極１０４を介して液晶層９（図３参照）に書き込まれる。
【００３２】
図２は、実施形態の液晶装置の表示領域１００に規則的に配置される画素を、開口部２５と共に示す模式平面図である。開口部２５は、平面視で、隣り合う２つ（一組）の画素の中間に位置しており、該２つ（一組）の画素と１つの開口部２５とで画素ユニットを形成している。画素は、平板状の共通電極１０６と、共通電極１０６と重なり複数のスリットを有する梯子状の画素電極１０４と、該重なる双方の電極の周囲を囲むように形成された走査線１１２、データ線１１４、共通線１１６及びＴＦＴ１１０等からなる。共通電極１０６は共通線１１６と同層の透明性導電材料で形成されており、表示領域１００内の全ての画素の一方の電極を共通電位としている。
【００３３】
ＴＦＴ１１０は走査線１１２とデータ線１１４との交差部近傍に形成されており、ゲート電極を兼ねる走査線１１２と、ゲート絶縁膜４１（図３参照）を介して積層される島状の半導体層１２４と、該半導体層の両側に一部が重なるように形成されたソース電極１２２及びドレイン電極１２３とからなる。
【００３４】
画素電極１０４及び共通電極１０６はＩＴＯ（酸化インジウム・錫合金）等の透明導電性材料からなり、後述するバックライトユニット９０（図３参照）が射出する光をカラーフィルタ層７０（図３参照）を介して液晶装置の外部に照射できる。そして、画素電極１０４の梯子状部分と共通電極１０６との間に、基板面方向（水平方向）の電界を生じさせて液晶層９（図３参照）中の液晶分子を駆動している（ツイストさせている）。
【００３５】
なお、以下に記載する各実施形態において、「画素」とは、後述するバックライトユニット９０（図３参照）から照射される光を、透過率を制御しつつ透過させることができる個々の領域、すなわちカラーフィルタ７１が形成されている領域を示している。上記領域は、矩形にパターニングされた共通電極１０６の平面形状と略一致する。したがって、走査線１１２あるいはデータ線１１４等が形成されている領域は画素ではない。各々の画素は行方向（上下方向）及び列方向（左右方向）共に一定の間隔を持って配置されている。
【００３６】
本発明の実施の態様として、画素の形状は矩形に限定されるものではないが、表示領域１００内に効率的に配置するためには矩形であることが好ましい。したがって、以下に記載する各実施形態では、画素の形状は矩形としている。
【００３７】
図３は、図２に示す画素の、Ａ−Ａ’線における断面図であり、実施形態の液晶装置の模式断面図である。本図は、液晶装置を構成する液晶パネル８、光学素子としてのパララックスバリア２０、及びバックライトユニット９０を模式的に示したものである。以下、各構成要素について述べる。
【００３８】
液晶パネル８は、枠状のシール剤（不図示）を介して対向するように貼り合わされた素子基板１０、対向基板１１、及び該一対の基板で狭持された液晶層９等からなり、表示領域内に画素が規則的に配置されている。素子基板１０は、図２に示す画素電極１０４等の構成要素が形成されており、（液晶層９中の）液晶分子の配向を制御することで、バックライトユニット９０から照射される光の透過量を連続的に変化させることができる。対向基板１１には、カラーフィルタ層７０が形成されており、バックライトユニット９０から照射される白色光を赤、緑、青、のいずれかの色を強調して、該対向基板の裏面（カラーフィルタ層が形成されていない方の面）から射出している。上記裏面が表示面７、すなわち画像を構成する光が射出される面であり、観察者から見て画像が形成されている面である。
【００３９】
素子基板１０の液晶層９側表面には、第１層から第３層までの構成要素が積層されている。また、これらの各層間の構成要素が短絡するのを防止するため、第１層と第２層の間にはゲート絶縁膜４１が、第２層と第３層の間には層間絶縁膜４２が、それぞれ形成されている。
【００４０】
素子基板１０の表面に設けられた第１層には、ＴＦＴ１１０のゲート電極１１３及び共通電極１０６が形成されている。共通電極１０６は、上述したように共通線１１６と同層であり、ＩＴＯ（酸化インジウム・錫合金）等の透明性導電材料で形成されている。ゲート電極１１３は走査線１１２の一部がその役割を果たしている。
【００４１】
第１層の上層には、ＳｉＯ2又はＳｉＮ等からなるゲート絶縁膜４１が積層され、その上層には第２層として、ソース電極１２２とドレイン電極１２３と半導体層１２４と、が形成されている。ゲート電極１１３とソース電極１２２とドレイン電極１２３と半導体層１２４と、ゲート絶縁膜４１と、でＴＦＴ１１０が構成される。
【００４２】
第２層の上層には、ＳｉＯ2等の透明絶縁性材料からなる層間絶縁膜４２を挟んで、第３層としての梯子状の部位を有する画素電極１０４が、共通電極１０６に重なるように形成されている。画素電極１０４は、共通電極１０６と同様にＩＴＯからなり、層間絶縁膜４２を貫通して形成されたコンタクトホール１２５を介してＴＦＴ１１０のドレイン電極１２３に接続されている。
【００４３】
共通電極１０６と画素電極１０４との間に駆動電圧が印加されると、画素電極１０４から共通電極１０６に向かって電界が発生する。このとき、液晶層９には、素子基板１０に実質的に平行な電界、すなわち横電界が生じる。液晶分子は、この横電界に従って素子基板１０に平行な平面内で配向方向を変える。その結果、第１の偏光板６１の透過軸及び第２の偏光板６２の透過軸に対する相対角度が変化し、その相対角度に応じた偏光変換機能に基づいて表示が行われる。かかる横電界を用いる表示方式は、液晶分子が常に素子基板１０に対して平行な状態で駆動されることに起因して、良好な視野範囲特性が得られる。実施形態にかかる表示装置としての液晶装置は２画像表示装置であり、左右方向に間隔をもって位置する二人の観察者から観察されるので、良好な視野範囲特性を有している必要がある。そのため、かかる駆動方式が好ましい。
【００４４】
なお、画素電極１０４の上層には、ポリイミドからなる第１の配向膜６３が積層されており、後述する第２の配向膜６４と共に、電圧非印加時における液晶分子の配向方向を規定している。
また、素子基板１０の、液晶層９側とは反対側の面には、第２の偏光板６２が貼付されており、バリア基板２１の、遮光層２３が形成されていない側の面に、第１の偏光板６１が貼付されている。双方の偏光板の透過軸は互いに直交するように設定されており、暗表示を可能にしている。
【００４５】
対向基板１１の液晶層９側の面には、カラーフィルタ７１とブラックマトリクス７２とからなるカラーフィルタ層７０が形成されている。カラーフィルタ７１は入射した光のうち特定の波長の光を吸収する樹脂層であり、カラーフィルタ７１によって白色光を３原色光（すなわち、赤色光、緑色光、及び青色光）とすることができる。したがって、カラーフィルタ７１（の色）を除いては共通する構成要素からなる画素を、カラーフィルタ７１の選択のみで上記３色のいずれかの色の光を射出する画素にできる。ブラックマトリクス７２は、隣り合う画素間に形成された遮光性を有する黒色の樹脂層であり、画素間の混色を抑制している。
【００４６】
カラーフィルタ層７０の上層（液晶層９側）にはポリイミドからなる第２の配向膜６４が形成されている。カラーフィルタ層７０と第２の配向膜６４との間に透光性を有する樹脂からなるオーバーコートを積層してもよい。上述したように、対向基板１１の裏面が表示面７である。したがって、表示面７は対向基板１１を介して配置された格子状のブラックマトリクス７２の領域と該ブラックマトリクスで囲まれたカラーフィルタ７１の領域とからなる。
【００４７】
バックライトユニット９０は、蛍光管９３から射出される光を導光板９１及び反射板９２により上記双方の基板に対して垂直に射出する。そして液晶層９及びカラーフィルタ層７０を介して液晶装置の外部ヘ射出して、画像を形成している。
【００４８】
パララックスバリア２０は、ガラス等の透光性材料からなるバリア基板２１と、該バリア基板上に積層された遮光層２３と、該遮光層の一部の領域を選択的に除去して形成された開口部２５と、で構成されている。そして透光性を有する接着材料層２２で対向基板１１の裏面、すなわち表示面７に貼付されている。したがって、開口部２５は、表示面７から射出される光を透過して、該開口部と画素とを結ぶ線上に位置する観察者に画像を表示できる。かかる画像の態様は、平面視における開口部２５と画素との重なり方に左右される。それついて、図４〜図６を用いて述べる。
【００４９】
図４は、画素と開口部２５の平面視での位置関係を例示する図である。図示するように、Ｘ軸方向が左右方向であり、Ｙ軸方向が上下方向である。
図４（ａ）は、液晶パネルの表示面７上における画素の配置を示す模式平面図である。Ｒｒ等の符号が付されている矩形の枠内が画素であり、カラーフィルタ７１が形成されている領域である。各画素間を隔てる格子状の領域にはブラックマトリクス７２が形成されており、光を射出しない領域である。上述したように、本図は画素と開口部２５の位置関係を例示するものである。したがって後述する各実施形態における形状とは異なり、全ての画素の形状を同一としている。また、上記の格子状の領域の幅も表示面７内で一定としている。
【００５０】
図４（ｂ）は、パララックスバリア２０の模式平面図である。バリア基板２１（図３参照）に形成された遮光層２３をパターニングして得られた透光性の領域が開口部２５である。そして、パララックスバリア２０は、表示面７上に、双方の中心線が一致するように重ねられる。
【００５１】
図４（ａ）で、各々の画素に、大文字のアルファベットと小文字のアルファベットとからなる符合が付されている。大文字のアルファベットは画素の種類、すなわち表示する画像の種類を表わしている。Ｒの符合が付された画素は第１の画素であり、液晶装置の正面の右側に位置する第１の観察者ＲＴ（図５参照）に、開口部２５を介して第１の画像を表示する。そして、Ｌの符合が付された画素は第２の画素であり、液晶装置の正面の左側に位置する第２の観察者ＬＴ（図５参照）に、開口部２５を介して第２の画像を表示する。向って左側に位置する第１の画素Ｒと向って右側に位置する第２の画素Ｌとからなる行方向に隣り合う一対の画素と、該一対の画素の中間に位置する一つの開口部２５とで、画素ユニットが形成される。左右に距離をおいて位置する二人の観察者は、表示面７上に配置された複数の画素ユニットの各々が形成する２つの画像を一つの開口部２５を介して観察できる。
なお、以下の文において、単に「画素」と記載した場合、第１の画素Ｒと第２の画素Ｌの双方を含むものとする。
【００５２】
小文字のアルファベットは画素のカラーフィルタ７１の色、すなわち表示する画像の色を表わしている。ｒは赤、ｇは緑、ｂは青であり、かかる３原色の画像を表示することで、実施形態にかかる液晶装置は、左右に距離をおいて位置する二人の観察者にカラー画像を表示できる。
【００５３】
図示するように、開口部２５は、平面視で第１の画素Ｒの一部と第２の画素Ｌの一部の双方と重なり合っている。したがって、実施形態の液晶装置は、正面に位置する観察者に対しては、第１の画像と第２の画像の双方（の一部ずつ）を等分に表示しており、上記正面から左右のどちらかの方向に角度を持って位置する観察者に対しては、どちらか一方の画像を他方の画像に比べて強く表示している。そして、所定の角度を持って位置をする観察者に対しては、第１の画像と第２の画像との内のどちらか一方の画像のみを表示できる。すなわち、実施形態の液晶装置は、正面方向からの角度によって表示される画像が連続的に変化する。
【００５４】
図５は、視野範囲特性を模式的に示す図である。液晶装置を左右方向に平行な線で切断した断面図であり、液晶パネルは第２の配向膜６４と画素（第１の画素Ｒと第２の画素Ｌ）とブラックマトリクス７２のみを表示している。同様に、パララックスバリア２０の構成要素は、遮光層２３と開口部２５のみを図示している。
【００５５】
図５（ａ）は、第２の観察者ＬＴに、開口部２５を介して第２の画像が表示され得る角度の範囲を示すものである。実施形態の液晶装置の画素の形状は微細なので、観察者の視線は平行線に近似できる。したがって、開口部２５の左右双方の端部を通る互いに平行な２本の直線が、該直線の延長上の位置する観察者の視線となる。したがって、かかる２本の直線と表示面７とが交わる範囲に第２の画素Ｌが存在すれば第２の画像が表示され得ることとなる。かかる範囲を、以下、表示角度範囲Ｖ０と称する。目的とする第２の画像が僅かでも表示されれば表示角度範囲Ｖ０に該当する。そして、目的とはしていない第１の画像も併せて表示され得る範囲である。表示角度範囲Ｖ０は開口部２５の幅と正の相関を持つ傾向にある。
【００５６】
図５（ｂ）は、第２の観察者ＬＴに、目的とする第２の画像のみが表示され得る角度の範囲を示すものである。上記の２本の直線と表示面７とが交わる範囲に第２の画素Ｌとブラックマトリクス７２のみが存在する角度の範囲、すなわち目的としない画像が表示されることがない角度の範囲である。かかる範囲を、以下、第１適視角度範囲Ｖ１と称し、該角度の２等分線を第１適視角度Ｖ１１と称する。そして、目的としない画像が表示されることを、以下、混色と称する。第１適視角度範囲Ｖ１は、隣接するブラックマトリクス７２の幅と正の相関をもつ傾向にある。すなわち、目的とする画素（この場合は第２の画素Ｌ）に隣接するブラックマトリクス７２の幅が広い程、混色は起こりにくくなる。
【００５７】
図５（ｃ）は、第２の観察者ＬＴに表示される第２の画像の輝度（明るさ）が一定に保たれる角度の範囲を示すものである。本図では、画素の幅が開口部２５の幅よりも小さいため、上記の２本の直線と表示面７とが交わる範囲内には必ずブラックマトリクス７２が存在する。したがって、上記の２本の直線と表示面７とが交わる範囲内に第２の画素Ｌの全体が位置する角度の範囲が、第２の画像の輝度が一定に保たれる角度の範囲である。かかる範囲を、以下、第２適視角度範囲Ｖ２、と称し、該角度の２等分線を第２適視角度Ｖ２２と称する。第２適視角度範囲Ｖ２は、開口部２５の幅と目的とする画素の幅とが一致するとき０度となり、開口部２５の幅が狭いほど大きくなる。
【００５８】
以上の角度範囲、及び角度を総称して、視野範囲特性と称する。「角度範囲」が広い程表示性能が高いということである。そして、「角度」すなわち２等分線の向く方向が、観察者が位置すべき方向ということである。
【００５９】
図５では、左右方向についての視野範囲特性を述べたが、視野範囲特性は上下方向でも存在する。そして、かかる上下方向の視野範囲特性を、左右方向に間隔をもって位置する二人の観察者間で異ならせることもできる。特に、観察者の位置（視点の位置）が上下方向でも異なる場合、上下方向の視野範囲特性を観察者間、すなわち第１の画素Ｒと第２の画素Ｌとの間で異ならせることが好ましい。かかる態様を図６、及び図７に示す。
【００６０】
図６は、上下方向の視野範囲特性を第１の画素Ｒと第２の画素Ｌとで異ならせた画素ユニットの、平面視での（画素と開口部２５の）位置関係を示す図である。そして図７は、図６に示す画素ユニットの上下方向の視野範囲特性を示す図である。
図６（ａ）に示す画素ユニットは、第１の画素Ｒの重心点と開口部２５の重心点を結ぶ線は水平とし、第２の画素Ｌの位置を上方向に移動させて、第２の画素Ｌの重心と開口部２５の重心を結ぶ線を上向きとしている。
図６（ｂ）に示す画素ユニットは、第１の画素Ｒの重心点と開口部２５の重心点を結ぶ線は水平とし、第２の画素Ｌを上方向に拡大することにより、第２の画素Ｌの重心と開口部２５の重心を結ぶ線を上向きとしている。
図６（ｃ）に示す画素ユニットは、第１の画素Ｒの重心点と開口部２５の重心点を結ぶ線は水平とし、第２の画素Ｌを下方向に縮小することにより、第２の画素Ｌの重心と開口部２５の重心を結ぶ線を下向きとしている。
【００６１】
図６（ｄ）に示す画素ユニットは、比較として従来の画素ユニット、すなわち上下方向の視野範囲特性が第１の画素Ｒと第２の画素Ｌとの間で同一の画素ユニットを記載したものである。第１の画素Ｒと第２の画素Ｌの形状が等しく、第１の画素Ｒの重心点と開口部２５の重心点を結ぶ線、及び第２の画素Ｌの重心点と開口部２５の重心点を結ぶ線の双方が水平な画素ユニットである。
【００６２】
図７（ａ）〜図７（ｄ）は、上記の図６（ａ）〜図６（ｄ）に示す画素ユニットの、第２の画素Ｌの第２適視角度範囲Ｖ２及び第２適視角度Ｖ２２を図示したものである。（第２適視角度Ｖ２２で視野範囲特性を代表させている。）液晶パネル８（図３参照）とパララックスバリア２０（図３参照）とを左右方向に垂直な線で切断した図であり、液晶パネル８は画素とブラックマトリクス７２のみを図示している。パララックスバリア２０の構成要素は、遮光層２３のみを図示している。遮光層２３が存在しない領域が開口部２５（図４参照）である。
なお、以下第１〜第６の実施形態で用いている視野範囲特性を模式的に示す図（図８等）は、全て同様の構成である。
【００６３】
図７（ｄ）に示す従来の画素ユニットは、第２適視角度Ｖ２２が水平であり、観察者（の視点）が水平に位置する場合に好適である。それに対し、図７（ａ）及び図７（ｂ）に示す画素ユニットは、第２適視角度Ｖ２２が水平より上向きであり、観察者（の視点）が水平より下に位置する場合に好適である。同じく、図７（ｃ）に示す画素ユニットは、第２適視角度Ｖ２２が水平より下向きであり、観察者（の視点）が水平より上に位置する場合に好適である。このように、第２の画素Ｌの形状、あるいは第２の画素Ｌと開口部２５との相対位置を変化させることで、上下方向の視野範囲特性を変化させることができる。
【００６４】
以下に記載する各実施形態では、第１の画素Ｒと第２の画素Ｌとの間で、画素の形状及び重心位置に加えて上下方向に隣接するブラックマトリクス７２の幅等にも差異を設けることで、上下方向の視野範囲特性を変化させた画素ユニットの例を記載する。
（第１の実施形態）
【００６５】
図８は、第１の実施形態にかかる液晶装置が備える画素ユニットの平面形状、及び表示領域１００内での配置の態様を示す図である。図８（ａ）は右方向から見たときの画素と開口部２５の重なり方を示す図、図８（ｂ）は左方向から見たときの画素と開口部２５の重なり方を示す図、図８（ｃ）は正面から見たときの画素と開口部２５の重なり方を示す図である。
【００６６】
本実施形態にかかる液晶装置が備える画素ユニットは、第２の画素Ｌの上下方向の長さが第１の画素Ｒの該長さよりも大きい点に特徴がある。また、表示領域１００内において第１の画素Ｒと第２の画素Ｌが左右方向だけではなく上下方向にも隣り合うように配置されている。その結果、第１の画素Ｒと第２の画素Ｌとでは、画素自体の大きさには差があるにもかかわらず、各々の画素に隣接するブラックマトリクス７２の上下方向の幅の合計が略同一となっている。
【００６７】
開口部２５の大きさは、第２の画素Ｌと略同一である。そして、開口部２５の重心と第２の画素Ｌの重心とを結ぶ線は、略水平であり、開口部２５の重心と第１の画素Ｒの重心とを結ぶ線は、水平ではなく斜めとなっている。その結果、本実施形態の画素ユニットを表示領域１００に規則的に配置した液晶装置は、上下方向の視野範囲特性が、第１の画素Ｒと第２の画素Ｌとで大きく異なっている。
【００６８】
図９は、第１の実施形態にかかる液晶装置の視野範囲特性を示す図である。図９（ａ）は右方向から見たときの第１の画素Ｒの視野範囲特性を示す図、図９（ｂ）は左方向から見たときの第２の画素Ｌの視野範囲特性を示す図である。なお、表示角度範囲Ｖ０については図示していない。以下に記載する、第２〜第６の実施形態においても同様である。
【００６９】
第１適視角度範囲Ｖ１は、第１の画素Ｒに比べて第２の画素Ｌの方が広い。第２の画素Ｌが、第１の画素Ｒに比べて、上下方向の長さが大きく上下方向に隣接するブラックマトリクス７２の幅の合計は等しいためである。また、第１適視角度Ｖ１１は、第２の画素Ｌが、第１の画素Ｒに比べて若干上向きである。
【００７０】
第２適視角度範囲Ｖ２は、第２の画素Ｌが極僅かであるのに対し、第１の画素Ｒは略４５度有する。第２の画素Ｌの上下方向の長さは開口部２５の該長さと略同一であるのに対し、第１の画素Ｒの上下方向の長さは開口部２５の該長さより小さいため、このような差が生じる。また、第２適視角度Ｖ２２は、第２の画素Ｌが略水平であるのに対し、第１の画素Ｒは大きく上向きとなっている。つまり、第２の画素Ｌは水平から観察するのに適しており、第１の画素Ｒは斜め上方から観察するのに適している。
【００７１】
したがって、本実施形態の液晶装置は、第１の画素Ｒが表示する第１の画像を観察する第１の観察者の視野角度が下向きであり、第２の画素Ｌが表示する第２の画像を観察する第２の観察者の視野角度は略水平である場合において、双方の観察者に夫々好適な画像を表示できる。つまり、左右に間隔をもって位置する二人の観察者の視点が上下方向でも大きく異なり、かつ、視野角度範囲も（観察者間で）異なる場合においても、双方の観察者に夫々好適な画像を表示できる。
（第２の実施形態）
【００７２】
図１０は、第２の実施形態にかかる液晶装置が備える画素ユニットの平面形状、及び表示領域１００内での配置の態様を示す図である。図１０（ａ）は右方向から見たときの画素と開口部２５の重なり方を示す図、図１０（ｂ）は左方向から見たときの画素と開口部２５の重なり方を示す図、図１０（ｃ）は正面から見たときの画素と開口部２５の重なり方を示す図である。
【００７３】
本実施形態にかかる液晶装置が備える画素ユニットは、第１の実施形態にかかる液晶装置と同様に、第２の画素Ｌの上下方向の長さが第１の画素Ｒの該長さよりも大きく、表示領域１００内において第１の画素Ｒと第２の画素Ｌが左右方向だけではなく上下方向にも隣り合うように配置されている。一方で、開口部２５の大きさは、第１の画素Ｒと略同一である。
【００７４】
開口部２５の重心と第１の画素Ｒの重心とを結ぶ線は、略水平であり、開口部２５の重心と第２の画素Ｌの重心とを結ぶ線は、斜めとなっている。その結果、本実施形態の画素ユニットを表示領域１００に規則的に配置した液晶装置は、上下方向の視野範囲特性が、第１の画素Ｒと第２の画素Ｌとで大きく異なっている。
【００７５】
図１１は、第２の実施形態にかかる液晶装置の視野範囲特性を示す図である。図１１（ａ）は右方向から見たときの第１の画素Ｒの視野範囲特性を示す図、図１１（ｂ）は左方向から見たときの第２の画素Ｌの視野範囲特性を示す図である。第１適視角度範囲Ｖ１は、第１の画素Ｒに比べて第２の画素Ｌの方が広い。第２の画素Ｌが、第１の画素Ｒに比べて、上下方向の長さが大きく上下方向に隣接するブラックマトリクス７２の幅の合計は等しいためである。また、第１適視角度Ｖ１１は、第１の画素Ｒが、第２の画素Ｌに比べて若干上向きである。
【００７６】
第２適視角度範囲Ｖ２は、第１の画素Ｒが極僅かであるのに対し、第２の画素Ｌは略４５度有する。第１の画素Ｒの上下方向の長さは開口部２５の該長さと略同一であるのに対し、第２の画素Ｌの上下方向の長さは開口部２５の該長さより大きいため、このような差が生じる。
【００７７】
また、第２適視角度Ｖ２２は、第１の画素Ｒが水平であるのに対し、第２の画素Ｌは大きく上向きとなっている。つまり、第１の画素Ｒは水平から観察するのに適しており、第２の画素Ｌは斜め下方から観察するのに適している。また、第１の画素Ｒは視点の上下方向の移動が小さい場合に適しており、第２の画素Ｌは視点の上下方向の移動が大きい場合に適している。
【００７８】
したがって、本実施形態の液晶装置は、第１の画素Ｒが表示する第１の画像を観察する第１の観察者の視野角度が水平であり、第２の画素Ｌが表示する第２の画像を観察する第２の観察者の視野角度は上向きである場合において、双方の観察者に夫々好適な画像を表示できる。また、第１の観察者の視野角度が略一定、すなわち視野角度範囲が極めて狭く、第２の観察者の視野角度範囲が大きい場合において、双方の観察者に夫々好適な画像を表示できる。つまり、左右に間隔をもって位置する二人の観察者の視点が上下方向でも大きく異なり、かつ、視野角度の変化の度合いも異なる場合において、双方の観察者に夫々好適な画像を表示できる。
（第３の実施形態）
【００７９】
図１２は、第３の実施形態にかかる液晶装置が備える画素ユニットの平面形状、及び表示領域１００内での配置の態様を示す図である。図１２（ａ）は右方向から見たときの画素と開口部２５の重なり方を示す図、図１２（ｂ）は左方向から見たときの画素と開口部２５の重なり方を示す図、図１２（ｃ）は正面から見たときの画素と開口部２５の重なり方を示す図である。
【００８０】
図１３は、第３の実施形態にかかる液晶装置の視野範囲特性を示す図である。図１３（ａ）は右方向から見たときの第１の画素Ｒの視野範囲特性を示す図、図１３（ｂ）は左方向から見たときの第２の画素Ｌの視野範囲特性を示す図である。
【００８１】
本実施形態にかかる液晶装置が備える画素ユニットは、第１の実施形態にかかる液晶装置、及び第２の実施形態にかかる液晶装置とは異なり、第１の画素Ｒの形状と第２の画素Ｌの形状は同一である。また、第１の画素Ｒ及び第２の画素Ｌの上下方向の長さと、開口部２５の上下方向の長さは略同一である。したがって、第２適視角度範囲Ｖ２は、第１の画素Ｒ及び第２の画素Ｌ共に略０度となる。そのため図示は省略している。
【００８２】
開口部２５の重心と第１の画素Ｒの重心とを結ぶ線は下向きであり、開口部２５の重心と第２の画素Ｌの重心とを結ぶ線は上向きである。したがって、第１の画素Ｒの第２適視角度Ｖ２２は下向きであり、第２の画素Ｌの第２適視角度Ｖ２２は上向きである。
【００８３】
第１の画素Ｒの上下方向に隣接するブラックマトリクス７２の幅の合計と、第２の画素Ｌの上下方向に隣接するブラックマトリクス７２の幅の合計は同一である。したがって、第１の画素Ｒの第１適視角度範囲Ｖ１と第２の画素Ｌの第１適視角度範囲Ｖ１は、同一である。
【００８４】
第２の画素Ｌの下側に隣接するブラックマトリクス７２の幅は上側に隣接するブラックマトリクス７２の幅の３倍であるのに対し、第１の画素Ｒでは逆に、上側に隣接するブラックマトリクス７２の幅が下側に隣接するブラックマトリクス７２の幅の３倍である。しかし、画素の大きさが広い方のブラックマトリクスの幅よりも小さいため、第１の画素Ｒの第１適視角度Ｖ１１と第２の画素Ｌの第１適視角度Ｖ１１は、共に水平となる。
【００８５】
以上述べたように、本実施形態の液晶装置の上下方向の視野範囲特性は、第１適視角度範囲Ｖ１と第１適視角度Ｖ１１は第１の画素Ｒと第２の画素Ｌとで同一であるが、第２適視角度Ｖ２２が、第１の画素Ｒと第２の画素Ｌとで大きく異なっている。第１の画素Ｒの第２適視角度Ｖ２２は下向きであり、第２の画素Ｌの第２適視角度Ｖ２２は上向きである。したがって、本実施形態の液晶装置は、第１の画素Ｒが表示する第１の画像を観察する観察者の視野角度が下向き、すなわち視点が水平より上側にあり、第２の画素Ｌが表示する第２の画像を観察する観察者の視野角度は上向、すなわち視点が水平より下側にある場合において、双方の観察者に夫々好適な画像を表示できる。
（第４の実施形態）
【００８６】
図１４は、第４の実施形態にかかる液晶装置が備える画素ユニットの平面形状、及び表示領域１００内での配置の態様を示す図である。図１４（ａ）は右方向から見たときの画素と開口部２５の重なり方を示す図、図１４（ｂ）は左方向から見たときの画素と開口部２５の重なり方を示す図、図１４（ｃ）は正面から見たときの画素と開口部２５の重なり方を示す図である。
【００８７】
図１５は、第４の実施形態にかかる液晶装置の視野範囲特性を示す図である。図１５（ａ）は右方向から見たときの第１の画素Ｒの視野範囲特性を示す図、図１５（ｂ）は左方向から見たときの第２の画素Ｌの視野範囲特性を示す図である。
【００８８】
本実施形態にかかる液晶装置が備える画素ユニットは、第３の実施形態にかかる液晶装置と同様に、第１の画素Ｒの形状と第２の画素Ｌの形状は同一である。一方で、第１の画素Ｒ及び第２の画素Ｌの上下方向の長さは、開口部２５の上下方向の長さよりも若干大きい。したがって、第１の画素Ｒ及び第２の画素Ｌは共に略２０度の第２適視角度範囲Ｖ２を有する。したがって、視野角度が±略１０度の範囲では、表示される画像の輝度は一定値に保たれる。
【００８９】
第３の実施形態にかかる液晶装置と同様に、開口部２５の重心と第１の画素Ｒの重心とを結ぶ線は下向きであり、開口部２５の重心と第２の画素Ｌの重心とを結ぶ線は上向きである。したがって、第１の画素Ｒの第２適視角度Ｖ２２は下向きであり、第２の画素Ｌの第２適視角度Ｖ２２は上向きである。
【００９０】
また、第３の実施形態にかかる液晶装置と同様に、第１の画素Ｒの上下方向に隣接するブラックマトリクス７２の幅の合計と、第２の画素Ｌの上下方向に隣接するブラックマトリクス７２の幅の合計は、同一である。したがって、第１の画素Ｒの第１適視角度範囲Ｖ１と第２の画素Ｌの第１適視角度範囲Ｖ１は、同一である。
【００９１】
一方で、第２の画素Ｌの下側に隣接するブラックマトリクス７２の幅は上側に隣接するブラックマトリクス７２の幅の略４．３倍であるのに対し、第１の画素Ｒでは逆に、上側に隣接するブラックマトリクス７２の幅が下側に隣接するブラックマトリクス７２の幅の略４．３倍である。したがって、第２の画素Ｌの第１適視角度Ｖ１１は下向きとなり、第１の画素Ｒの第１適視角度Ｖ１１は上向きとなる。
【００９２】
以上述べたように、本実施形態にかかる液晶装置は、第３の実施形態にかかる液晶装置と同様に第１の画素Ｒの適視角度は下向きであり、第２の画素Ｌの適視角度は上向きである。そして第３の実施形態にかかる液晶装置とは異なり、略２０度の第２適視角度範囲を有している。したがって、本実施形態の液晶装置は、第１の画素Ｒが表示する第１の画像を観察する観察者の視点が水平より上側にあり、第２の画素Ｌが表示する第２の画像を観察する観察者の視点が水平より下側にある場合において、双方の観察者に夫々好適な画像を表示できる。さらに、双方の観察者の視野角度範囲が大きい場合であっても、第３の実施形態にかかる液晶装置と比べてより一層好適な画像を表示できる。
（第５の実施形態）
【００９３】
図１６は、第５の実施形態にかかる液晶装置が備える画素ユニットの平面形状、及び表示領域１００内での配置の態様を示す図である。図１６（ａ）は右方向から見たときの画素と開口部２５の重なり方を示す図、図１６（ｂ）は左方向から見たときの画素と開口部２５の重なり方を示す図、図１６（ｃ）は正面から見たときの画素と開口部２５の重なり方を示す図である。
【００９４】
図１７は、第５の実施形態にかかる液晶装置の視野範囲特性を示す図である。図１７（ａ）は右方向から見たときの第１の画素Ｒの視野範囲特性を示す図、図１７（ｂ）は左方向から見たときの第２の画素Ｌの視野範囲特性を示す図である。
【００９５】
本実施形態にかかる液晶装置が備える画素ユニットは、第１の画素Ｒの形状と第２の画素Ｌの形状は同一である点で、第３、及び第４の実施形態にかかる液晶装置と共通している。しかし、表示領域１００（図１参照）での配置の態様が異なる。上述の第１〜第４の実施形態にかかる液晶装置では、表示領域１００に第１の画素Ｒと第２の画素Ｌが、上下方向、及び左右方向に交互に隣り合うように配置されているのに対し、本実施形態にかかる液晶装置は、第１の画素Ｒと第２の画素Ｌが、左右方向にのみ交互に隣り合うよう配置されており、上下方向には同種の画素が隣り合うように配置されている。
【００９６】
したがって、第１の画素Ｒの上方向に隣接するブラックマトリクス７２の幅（上下方向の長さ。以下同。）と下方向に隣接するブラックマトリクス７２の幅、及び第２の画素Ｌの上方向に隣接するブラックマトリクス７２の幅と下方向に隣接するブラックマトリクス７２の幅、の計４箇所ブラックマトリクス７２の幅が全て同一である。その結果、第１の画素Ｒの視野範囲特性と第２の画素Ｌの視野範囲特性とは、上下対称となる、すなわち表示領域１００に垂直で左右方向に走る線を含む平面に対して対称となる。
【００９７】
第１の画素Ｒは、第１適視角度Ｖ１１と第２適視角度Ｖ２２の双方が上向きとなり、上方から見る場合に好適な画像が表示される。そして、第２の画素Ｌは、第１適視角度Ｖ１１と第２適視角度Ｖ２２の双方が下向きとなり、下方から見る場合に好適な画像が表示される。したがって、本実施形態にかかる液晶装置は、第１の観察者の視点が右側の上方に位置し、第２の観察者の視点が左側の下方に位置する場合において、双方の観察者に好適な画像を表示できる。
（第６の実施形態）
【００９８】
図１８は、第６の実施形態にかかる液晶装置が備える画素ユニットの平面形状、及び表示領域１００内での配置の態様を示す図である。図１８（ａ）は右方向から見たときの画素と開口部２５の重なり方を示す図、図１８（ｂ）は左方向から見たときの画素と開口部２５の重なり方を示す図、図１８（ｃ）は正面から見たときの画素と開口部２５の重なり方を示す図である。
図１９は、第６の実施形態にかかる液晶装置の視野範囲特性を示す図である。図１９（ａ）は右方向から見たときの第１の画素Ｒの視野範囲特性を示す図、図１９（ｂ）は左方向から見たときの第２の画素Ｌの視野範囲特性を示す図である。
【００９９】
本実施形態にかかる液晶装置は、第１の画素Ｒと第２の画素Ｌが、左右方向にのみ交互に隣り合うよう配置されており、上下方向には同種の画素が隣り合うように配置されている点で上述の第５の実施形態にかかる液晶装置と共通している。したがって、第５の実施形態にかかる液晶装置と同様に、上述の計４箇所ブラックマトリクス７２の幅は全て同一である。
【０１００】
第５の実施形態にかかる液晶装置と異なる点は、画素及びブラックマトリクス７２の大きさ（上下方向の長さ）である。第５の実施形態にかかる液晶装置では、画素の大きさは、開口部２５及びブラックマトリクス７２の大きさよりも大きかったが、本実施形態の液晶装置の画素の大きさは、ブラックマトリクス７２と等しく、開口部２５よりも小さい。その結果、第１の適視角度範囲、及び第２適視角度範囲Ｖ２の双方が、第５の実施形態にかかる液晶装置よりも若干大きくなっている。したがって、本実施形態にかかる液晶装置は、第１の観察者の視点が右側の上方に位置し、第２の観察者の視点が左側の下方に位置する場合に好適である。そしてさらに、双方の観察者の視野角度範囲が大きい場合において、該双方の観察者に好適な画像を表示できる。
（変形例１）
【０１０１】
上述の各実施形態にかかる液晶装置は、第１の画素Ｒの幅と第２の画素Ｌの幅（左右方向の長さ）とが同一であった。しかし、実施の形態はかかる態様に限定されるものではない。第１の画素Ｒと第２の画素Ｌの幅とを異ならせることにより、上下方向のみではなく左右方向の視野範囲特性にも、差異を設けることもできる。
（変形例２）
【０１０２】
上述の各実施形態にかかる液晶装置は、一方の画素が水平より上側に視点がある観察者に対応している場合、他方の画素は、略水平又は水平より下側に視点がある観察者に対応していた。しかし、実施の形態はかかる態様に限定されるものではない。第１の画素Ｒと第２の画素Ｌの双方を、水平より上側に視点がある観察者に対応させることもできる。また、同じく双方の画素を、水平より下側に視点がある観察者に対応させることもできる。
（電子機器）
【０１０３】
次に、上述の実施形態のいずれかの液晶装置を用いた電子機器の具体例について、図２０を参照して説明する。図２０は、上述の各実施形態のいずれかにかかる液晶装置を用いた、電子機器としての車載用モニタ２００示す図である。
【０１０４】
図２０（ａ）は、第１の観察者ＲＴとしての運転者が、車載用モニタ２００を右斜め上（正面の右寄り、かつ上方）側から見ている状態を表している。表示領域１００には、第１の画像２０１が好適に表示されている。図２０（ｂ）は、第２の観察者ＬＴとしての助手席に位置する者が、車載用モニタ２００を左斜め下（正面の左寄り、かつ下方）側から見ている状態を表している。表示領域１００には、第２の画像２０２が好適に表示されている。
【０１０５】
このように、上述の各実施形態のいずれかにかかる液晶装置を用いた車載用モニタ２００は、左右方向に間隔をもって位置する二人の観察者の上下方向の視野角度、すなわち視点の位置が互いに異なる場合でも、双方の観察者に夫々好適な画像を表示できる。
【図面の簡単な説明】
【０１０６】
【図１】本実施形態にかかる液晶装置の等価回路図。
【図２】本実施形態にかかる液晶装置の模式平面図。
【図３】本実施形態にかかる液晶装置の模式断面図。
【図４】画素と開口部の平面視での位置関係を例示する図。
【図５】視野範囲特性を模式的に示す図。
【図６】上下方向の視野範囲特性を第１の画素と第２の画素とで異ならせた画素ユニットの、平面視での位置関係を示す図。
【図７】図７は、図６に示す画素ユニットの上下方向の視野範囲特性を示す図。
【図８】第１の実施形態にかかる画素ユニットの平面形状を示す図。
【図９】第１の実施形態にかかる画素ユニットの視野範囲特性を示す図。
【図１０】第２の実施形態にかかる画素ユニットの平面形状を示す図。
【図１１】第２の実施形態にかかる画素ユニットの視野範囲特性を示す図。
【図１２】第３の実施形態にかかる画素ユニットの平面形状を示す図。
【図１３】第３の実施形態にかかる画素ユニットの視野範囲特性を示す図。
【図１４】第４の実施形態にかかる画素ユニットの平面形状を示す図。
【図１５】第４の実施形態にかかる画素ユニットの視野範囲特性を示す図。
【図１６】第５の実施形態にかかる画素ユニットの平面形状を示す図。
【図１７】第５の実施形態にかかる画素ユニットの視野範囲特性を示す図。
【図１８】第６の実施形態にかかる画素ユニットの平面形状を示す図。
【図１９】第６の実施形態にかかる画素ユニットの視野範囲特性を示す図。
【図２０】実施形態のいずれかの液晶装置を用いた電子機器の具体例を示す図。
【符号の説明】
【０１０７】
７…表示面、８…液晶パネル、９…液晶層、１０…素子基板、１１…対向基板、２０…光学素子としてのパララックスバリア、２１…バリア基板、２２…接着材料層、２３…遮光層、２５…開口部、４１…ゲート絶縁膜、４２…層間絶縁膜、６１…第１の偏光板、６２…第２の偏光板、６３…第１の配向膜、６４…第２の配向膜、７０…カラーフィルタ層、７１…カラーフィルタ、７２…ブラックマトリクス、９０…バックライトユニット、９１…導光板、９２…反射板、９３…蛍光管、１００…表示領域、１０１…データ線駆動回路、１０２…走査線駆動回路、１０４…画素電極、１０６…共通電極、１１０…ＴＦＴ、１１２…走査線、１１３…ゲート電極、１１４…データ線、１１６…共通線、１２２…ソース電極、１２３…ドレイン電極、１２４…半導体層、２００…電子機器としての車載用モニタ、２０１…第１の画像、２０２…第２の画像、Ｌ…第２の画素、ＬＴ…第２の観察者、Ｒ…第１の画素、ＲＴ…第１の観察者、Ｖ０…表示角度範囲、Ｖ１…第１適視角度範囲、Ｖ１１…第１適視角度、Ｖ２…第２適視角度範囲、Ｖ２２…第２適視角度。
【図１】
2009086126.tif 000003
【図２】
2009086126.tif 000004
【図３】
2009086126.tif 000005
【図４】
2009086126.tif 000006
【図５】
2009086126.tif 000007
【図６】
2009086126.tif 000008
【図７】
2009086126.tif 000009
【図８】
2009086126.tif 000010
【図９】
2009086126.tif 000011
【図１０】
2009086126.tif 000012
【図１１】
2009086126.tif 000013
【図１２】
2009086126.tif 000014
【図１３】
2009086126.tif 000015
【図１４】
2009086126.tif 000016
【図１５】
2009086126.tif 000017
【図１６】
2009086126.tif 000018
【図１７】
2009086126.tif 000019
【図１８】
2009086126.tif 000020
【図１９】
2009086126.tif 000021
【図２０】
2009086126.tif 000022